(57)【要約】【課題】複数台の照明器具を一括して消灯させる操作を簡単に行える壁取付用スイッチを提供する。【解決手段】複数台の第１スイッチ装置１の各々は、操作に応じて対応する照明器具３の点灯状態を切り替える。第２スイッチ装置２を用いて複数台の照明器具３を一括消灯させる消灯操作が行われると、無線通信部２３は、照明器具３を消灯させる消灯命令を第１スイッチ装置１へ送信する。第１スイッチ装置１の無線通信部１６が消灯命令を受信すると、信号処理部１１は、照明器具３を消灯させ、消灯完了を示す返信信号を無線通信部１６から第２スイッチ装置２へ返送させる。無線通信部２３が、複数台ある第１スイッチ装置１の全てから返信信号を受信する。【選択図】図１
2015146321.tif 000002
【特許請求の範囲】
【請求項１】
対応する照明器具の点灯／消灯を切り替える操作を受け付ける第１操作入力部、無線通信を行う第１無線通信部、及び、前記第１操作入力部が受け付けた操作及び前記第１無線通信部が受信した制御命令に応じて対応する前記照明器具の点灯／消灯を制御する点灯制御部をそれぞれ備えた複数台の第１スイッチ装置と、
複数台の前記第１スイッチ装置の各々に対応した前記照明器具を一括して消灯させるための消灯操作を受け付ける第２操作入力部、及び、無線通信を行う第２無線通信部を備えた第２スイッチ装置とを備え、
前記第２操作入力部が消灯操作を受け付けると、前記第２無線通信部が、前記照明器具を消灯させる制御命令を前記第１スイッチ装置へ送信し、
前記第１無線通信部が、前記第２無線通信部から送信された前記制御命令を受信すると、前記点灯制御部が、対応する前記照明器具を消灯させて、消灯完了を示す返信信号を前記第１無線通信部から前記第２スイッチ装置へ送信させ、
前記第２無線通信部が、複数台の前記第１スイッチ装置の各々から送信された前記返信信号を受信することを特徴とするスイッチシステム。
【請求項２】
請求項１記載のスイッチシステムに用いられる壁取付用スイッチであって、
壁に取り付けられた状態で使用されるスイッチ本体を備え、前記第１スイッチ装置及び前記第２スイッチ装置の何れかを構成することを特徴とする壁取付用スイッチ。
【発明の詳細な説明】
【技術分野】
【０００１】
本発明は、スイッチシステム及びそれに用いる壁取付用スイッチに関するものである。
【背景技術】
【０００２】
従来、照明器具を点灯又は消灯させる操作を行うための操作ユニットと、操作ユニットの操作に応じて照明器具を点灯又は消灯させる制御ユニットとで構成されるエアスイッチングシステムがあった（例えば特許文献１参照）。このエアスイッチングシステムでは、操作ユニットの手動スイッチが操作されると、操作に応じた無線信号が操作ユニットから制御ユニットに送信され、制御ユニットが照明器具を点灯又は消灯させるようになっている。
【先行技術文献】
【特許文献】
【０００３】
【特許文献１】特開２００８−２２７８３０号公報
【発明の概要】
【発明が解決しようとする課題】
【０００４】
上記特許文献１に記載されたエアスイッチングシステムでは、所望の照明器具に対応する操作スイッチの手動スイッチを操作することで、所望の照明器具のオン／オフを切り替えることができる。しかしながら、例えば外出する際に住宅内にある複数台の照明器具を全て消灯させたい場合、複数台の照明器具のそれぞれに対応した複数台の操作スイッチを用いて消灯操作を行わねばならず、操作に手間がかかるという問題があった。
【０００５】
本発明は上記課題に鑑みて為されたものであり、その目的とするところは、複数台の照明器具を一括して消灯させる操作を簡単に行えるスイッチシステム及びそれに用いる壁取付用スイッチを提供することにある。
【課題を解決するための手段】
【０００６】
本発明のスイッチシステムは、複数台の第１スイッチ装置と、第２スイッチ装置とを備える。複数台の第１スイッチ装置の各々は、対応する照明器具の点灯／消灯を切り替える操作を受け付ける第１操作入力部、無線通信を行う第１無線通信部、及び、第１操作入力部が受け付けた操作及び第１無線通信部が受信した制御命令に応じて対応する照明器具の点灯／消灯を制御する点灯制御部をそれぞれ備える。第２スイッチ装置は、複数台の第１スイッチ装置の各々に対応した照明器具を一括して消灯させるための消灯操作を受け付ける第２操作入力部、及び、無線通信を行う第２無線通信部を備える。第２操作入力部が消灯操作を受け付けると、第２無線通信部が、照明器具を消灯させる制御命令を第１スイッチ装置へ送信する。第１無線通信部が、第２無線通信部から送信された制御命令を受信すると、点灯制御部が、対応する照明器具を消灯させて、消灯完了を示す返信信号を第１無線通信部から第２スイッチ装置へ送信させる。第２無線通信部が、複数台の第１スイッチ装置の各々から送信された返信信号を受信することを特徴とする。
【０００７】
また本発明の壁取付用スイッチは、上記のスイッチシステムに用いられる壁取付用スイッチであって、壁に取り付けられた状態で使用されるスイッチ本体を備え、第１スイッチ装置及び第２スイッチ装置の何れかを構成することを特徴とする。
【発明の効果】
【０００８】
本発明のスイッチシステムでは、第２スイッチ装置の第２操作入力部が消灯操作を受け付けると、第２無線通信部から照明器具を消灯させる制御命令が送信され、この制御命令を第１無線通信部が受信すると、点灯制御部が対応する照明器具を消灯させている。したがって、１台の第２スイッチ装置で消灯操作を行うだけで、複数台の第１スイッチ装置の各々に対応した複数台の照明器具を一括して消灯させることができ、照明器具の台数が多い場合でも複数台の照明器具を一括して消灯させる操作を容易に行うことができる。
【０００９】
本発明の壁取付用スイッチは上記のスイッチシステムに用いられ、第１スイッチ装置及び第２スイッチ装置は壁取付用スイッチで構成されているので、第１スイッチ装置及び第２スイッチ装置を壁に取り付けた状態で使用できる。また、上述のように複数台の照明器具を一括して消灯させる消灯操作を簡単に行うことができる。
【図面の簡単な説明】
【００１０】
【図１】（ａ）は本実施形態のスイッチシステムに用いられる第１スイッチ装置のブロック図、（ｂ）は同上のスイッチシステムに用いられる第２スイッチ装置のブロック図である。
【図２】同上の全体構成を模式的に示したシステム構成図である。
【図３】同上の動作を説明するシーケンス図である。
【発明を実施するための形態】
【００１１】
本発明に係るスイッチシステムの実施形態を図１〜図３に基づいて説明する。
【００１２】
図２はスイッチシステムの概略的なシステム構成図である。スイッチシステムは、それぞれ対応する照明器具３の点灯状態を操作に応じて切り替える複数台の第１スイッチ装置１（１ａ，１ｂ，１ｃ）と、複数台の第１スイッチ装置１の各々に対応する複数台の照明器具３を一括して消灯させる第２スイッチ装置２を備える。このスイッチシステムは、例えば住宅内の各部屋Ｒ１，Ｒ２，Ｒ３に設置された照明器具３の点灯／消灯を切り替えるためのものである。第１スイッチ装置１ａは、対応する照明器具３が設置された部屋Ｒ１に、第１スイッチ装置１ｂは、対応する照明器具３が設置された部屋Ｒ２に、第１スイッチ装置１ｃは、対応する照明器具３が設置された部屋Ｒ３に設置されている。また第２スイッチ装置２は、例えば玄関Ｅ１に設置されている。尚、以下の説明において、第１スイッチ装置１ａ，１ｂ，１ｃの各々について説明する場合は第１スイッチ装置１ａ，１ｂ，１ｃと記載し、複数台の第１スイッチ装置１ａ，１ｂ，１ｃに共通する説明を行う場合は第１スイッチ装置１と記載する。
【００１３】
各照明器具３は、発光ダイオード（図示せず）を光源とし、第１スイッチ装置１を介して交流電源ＡＣに接続されている。
【００１４】
第１スイッチ装置１は、図１（ａ）に示すように、照明器具３及び交流電源ＡＣと直列に接続されたスイッチング素子ＳＷ１を備える。スイッチング素子ＳＷ１は例えばトライアックやＩＧＢＴなどの半導体パワーデバイスからなる。第１スイッチ装置１は、スイッチング素子ＳＷ１をオン／オフさせることで、照明器具３を点灯又は消灯させる。また、第１スイッチ装置１は、交流電源ＡＣの半周期毎にスイッチング素子ＳＷ１をオンさせる導通位相角を制御することによって、導通位相角が調整された交流電源電圧を照明器具３に供給して、照明器具３を調光する機能を有している。なお、第１スイッチ装置１は、後述する操作領域を指でたたく操作に応じて調光レベルを予め設定された調光レベルに段階的に切り替える段調光機能を有している。尚、第１スイッチ装置１が、操作に応じて照明器具３を制御する制御内容については後述する。
【００１５】
図２に示すように第１スイッチ装置１の器体４０は合成樹脂により箱型に形成されており、器体４０を前方から見た形状は縦長の（左右方向よりも上下方向の方が長い）矩形状に形成されている。この器体４０は、埋込型配線器具を壁に取り付けるために使用される取付枠（図示せず）を用いて、壁に取り付けられる。取付枠の前側には化粧枠４２が取り付けられ、化粧枠４２の中央の開口４３から、器体４０の前面が露出する。尚、取付枠は、例えば特開２００９−７４９３６号公報に開示されているような従来周知のものであるから、図示及び説明は省略する。
【００１６】
図１（ａ）は第１スイッチ装置１のブロック図である。第１スイッチ装置１は、信号処理部１１と、複数個のタッチセンサ１２と、位相制御回路１３と、複数個の発光ダイオード（ＬＥＤ）１４と、ブザー１５と、ドライブ回路１４ａ，１５ａと、無線通信部１６（第１無線通信部）と、メモリ１７と、電源回路１８とを備える。尚、図１（ａ）に示す回路が形成された基板（図示せず）は器体４０の内部に収納されている。
【００１７】
信号処理部１１は例えばマイクロコンピュータからなり、第１スイッチ装置１の全体的な制御を行う。信号処理部１１は、タッチセンサ１２の検出結果に基づいて、照明器具３の点灯状態を制御する。
【００１８】
タッチセンサ１２は、静電容量型のセンサで構成されており、タッチセンサ１２の出力は信号処理部１１に入力されている。
【００１９】
タッチセンサ１２は、器体４０の前壁の裏側に配置されている。タッチセンサ１２の個数は１個でも複数個でもよく、器体４０の前壁に設けられた操作領域４１をカバーするために必要な個数のタッチセンサ１２が、器体４０の前壁の裏側に配置されている。器体４０は合成樹脂で形成されているので、タッチ操作を行うために器体４０の操作領域４１に指で触れると、指で触れた部位の裏側付近にあるタッチセンサ１２の静電容量値が変化し、それに応じて出力が変化する。尚、タッチセンサ１２は静電容量式のものに限らず、抵抗膜方式など周知の検出方式のものが利用できる。
【００２０】
位相制御回路１３は、信号処理部１１からの制御命令に応じて、照明器具３及び交流電源ＡＣと直列に接続されたスイッチング素子ＳＷ１のオン／オフを制御する。位相制御回路１３がスイッチング素子ＳＷ１を常時オフさせると、照明器具３は消灯する。また位相制御回路１３が、制御命令に応じてスイッチング素子ＳＷ１の導通位相角を制御すると、導通位相角が調整された交流電源電圧が照明器具３に供給され、照明器具３は、導通位相角に応じた調光レベルで点灯する。ここにおいて、信号処理部１１と位相制御回路１３とで、対応する照明器具３の点灯状態を制御する点灯制御部が構成される。
【００２１】
複数個の発光ダイオード１４の各々は、例えばＲＧＢフルカラー発光の発光ダイオードで構成されている。
【００２２】
ドライブ回路１４ａは、信号処理部１１からの入力信号に応じて、複数個の発光ダイオード１４の点灯／消灯、並びに、点灯させる場合はその発光色を個別に制御する。信号処理部１１は、照明器具３の消灯時は発光ダイオード１４を緑色で点灯させて、第１スイッチ装置１の位置表示を行い、照明器具３の点灯時には発光ダイオード１４を赤色で点灯させることによって、照明器具３が点灯中であることを表示する。
【００２３】
ブザー１５は器体４０の内部に収納されている。
【００２４】
ドライブ回路１５ａは、信号処理部１１からの入力信号に応じてブザー１５を鳴動させることによって、操作者による操作を受け付けたことを報知する。
【００２５】
無線通信部１６は、例えば特定小電力無線モジュールからなり、器体４０の内部に収納されたアンテナ１６ａを介して第２スイッチ装置２との間で無線信号の送信又は受信を行う。
【００２６】
メモリ１７は、例えばＥＥＰＲＯＭなどの電気的に書き換え可能な不揮発性メモリからなる。メモリ１７には、照明器具３を段調光点灯させる第１調光レベル及び第２調光レベルの設定値や、自機に割り当てられた識別ＩＤや、自機と対応付けられた第２スイッチ装置２の識別ＩＤが登録されている。
【００２７】
電源回路１８は、ＡＣ／ＤＣ変換部（ＡＣ／ＤＣ）１８ａと、ＬＤＯ（Low DropOut）レギュレータ（ＬＤＯ）１８ｂとで構成される。ＡＣ／ＤＣ変換部１８ａは、商用交流電源ＡＣから供給される交流電力を直流に変換する。ＬＤＯレギュレータ１８ｂは、ＡＣ／ＤＣ変換部１８ａの出力電圧を所定電圧に降圧して信号処理部１１に供給する。尚、電源回路１８の構成は本実施形態に限定されるものではなく、適宜変更が可能である。
【００２８】
第１スイッチ装置１の信号処理部１１は、タッチセンサ１２の検出出力をもとに、操作者が操作領域４１を指でたたくタップ操作及びダブルタップ操作を検出する。ここで、所定時間内に操作領域４１を指で１回たたく操作をタップ操作といい、所定時間内に操作領域４１を指で複数回たたく操作を連続タップ操作という。また、連続タップ操作のうち、所定時間内に操作領域４１を指で２回たたく操作をダブルタップ操作という。尚、上記の所定時間とは、複数回のタッチ操作が連続的に行われたとみなせる程度の時間であり、例えば０．５秒〜１秒程度の時間に設定されている。
【００２９】
信号処理部１１は、照明器具３が消灯している状態で、タッチセンサ１２の検出出力をもとにタップ操作を検出すると、メモリ１７から第１調光レベルの設定値を読み込み、第１調光レベルで照明器具３を点灯させる。信号処理部１１は、照明器具３が消灯している状態で、タッチセンサ１２の検出出力をもとにダブルタップ操作を検出すると、メモリ１７から第２調光レベルの設定値を読み込み、第１調光レベルよりも明るい第２調光レベルで照明器具３を点灯させる。信号処理部１１は、照明器具３が第１調光レベル又は第２調光レベルで点灯している状態でタッチセンサ１２の検出出力をもとにタップ操作を検出すると、照明器具３を消灯させる。また信号処理部１１は、照明器具３が点灯している状態でタッチセンサ１２の検出出力をもとにダブルタップ操作を検出すると、照明器具３の調光レベルを第１調光レベルから第２調光レベル、或いは、第２調光レベルから第１調光レベルへと切り替える。
【００３０】
尚、本実施形態では、照明器具３を点灯させる点灯操作、及び、照明器具３を消灯させる消灯操作は、器体４０の操作領域４１を指でたたく操作（タップ操作或いはダブルタップ操作）からなる。そして、点灯操作及び消灯操作を受け付ける第１操作入力部は、タッチセンサ１２と、タッチセンサ１２のセンサ出力をもとにタップ操作或いはダブルタップ操作を検出する信号処理部１１とで構成されている。尚、第１操作入力部は本実施形態の構成に限定されるものではなく、第１操作入力部を押釦スイッチなどのスイッチで構成してもよい。
【００３１】
また、本実施形態の第１スイッチ装置１は段調光機能を有しているが、操作に応じて対応する照明器具３の調光レベルを連続的に変化させる連続調光機能を備えていても良い。例えば第１スイッチ装置１は、操作領域４１を指でなぞるスライド操作に応じて、対応する照明器具３の調光レベルを連続的に変化させても良い。また、第１スイッチ装置１は、調光機能をもたず、操作に応じて照明器具３を点灯又は消灯させるオン／オフスイッチでもよい。
【００３２】
次に、第２スイッチ装置２の構成を図１（ｂ）のブロック図に基づいて説明する。尚、第２スイッチ装置２の器体５０は、第１スイッチ装置１と同様、合成樹脂により箱型に形成されており、器体５０を前方から見た形状は縦長の（左右方向よりも上下方向の方が長い）矩形状に形成されている。この器体５０は、埋込型配線器具を壁に取り付けるために使用される取付枠（図示せず）を用いて、壁に取り付けられる。取付枠の前側には化粧枠５２が取り付けられ、化粧枠５２の中央の開口５３から、器体５０の前面が露出する。
【００３３】
第２スイッチ装置２は、信号処理部２１と、複数個のタッチセンサ２２と、無線通信部２３（第２無線通信部）と、発光ダイオード（ＬＥＤ）２４と、ブザー２５と、ドライブ回路２４ａ，２５ａと、メモリ２６と、電源回路２７とを備える。尚、図１（ｂ）に示す回路が形成された基板（図示せず）は器体５０の内部に収納されている。
【００３４】
信号処理部２１は例えばマイクロコンピュータからなり、第２スイッチ装置２の全体的な制御を行う。
【００３５】
タッチセンサ２２は、静電容量型のセンサで構成されており、タッチセンサ２２の出力は信号処理部２１に入力されている。
【００３６】
タッチセンサ２２は、器体５０の前壁の裏側に配置されている。タッチセンサ２２の個数は１個でも複数個でもよく、器体５０の前壁に設けられた操作領域５１をカバーするために必要な個数のタッチセンサ２２が、器体５０の前壁の裏側に配置されている。器体５０は合成樹脂で形成されているので、タッチ操作を行うために器体５０の操作領域５１に指で触れると、指で触れた部位の裏側付近にあるタッチセンサ２２の静電容量値が変化し、それに応じて出力が変化する。尚、タッチセンサ２２は静電容量式のものに限らず、抵抗膜方式など周知の検出方式のものが利用できる。
【００３７】
第２スイッチ装置２では、信号処理部２１が、タッチセンサ２２の出力をもとに、操作領域５１を指でたたくタップ操作を検出すると、対応する照明器具３を一括して消灯させる消灯命令を無線通信部２３から無線信号で送信させる。ここにおいて、複数台の照明器具３を一括して消灯させる消灯操作は、器体５０の操作領域５１を指でたたくタップ操作である。そして、複数台の照明器具３を一括して消灯させる操作を受け付ける第２操作入力部は、タッチセンサ２２と、タッチセンサ２２のセンサ出力をもとにタップ操作を検出する信号処理部２１とで構成されている。尚、第２操作入力部は本実施形態の構成に限定されるものではなく、第２操作入力部を押釦スイッチなどのスイッチで構成してもよい。
【００３８】
無線通信部２３は、例えば特定小電力無線モジュールからなり、器体５０の内部に収納されたアンテナ２３ａを介して第１スイッチ装置１との間で無線信号の送信又は受信を行う。
【００３９】
発光ダイオード２４は、例えばＲＧＢフルカラー発光の発光ダイオードで構成され、器体５０の前壁の裏側において、操作領域５１の中心付近に配置されている。尚、器体５０の前壁は、発光ダイオード２４の発光が透過可能な程度の厚みに形成されている。
【００４０】
ドライブ回路２４ａは、信号処理部２１からの入力信号に応じて、発光ダイオード２４の点灯／消灯、並びに、点灯させる場合はその発光色を個別に制御する。
【００４１】
ブザー２５は器体５０の内部に収納されている。
【００４２】
ドライブ回路２５ａは、信号処理部２１からの入力信号に応じてブザー２５を鳴動させる。
【００４３】
メモリ２６は、例えばＥＥＰＲＯＭなどの電気的に書き換え可能な不揮発性メモリからなり、自機に割り当てられた識別ＩＤや、予め対応付けられた複数台の第１スイッチ装置１の識別ＩＤを記憶する。
【００４４】
電源回路２７は、ＡＣ／ＤＣ変換部（ＡＣ／ＤＣ）２７ａと、ＬＤＯ（Low DropOut）レギュレータ（ＬＤＯ）２７ｂとで構成される。ＡＣ／ＤＣ変換部２７ａは、商用交流電源から供給される交流電力を直流に変換する。ＬＤＯレギュレータ２７ｂは、ＡＣ／ＤＣ変換部２７ａの出力電圧を所定電圧に降圧して信号処理部２１に供給する。尚、電源回路２７の構成は本実施形態に限定されるものではなく、適宜変更が可能である。
【００４５】
次に、本実施形態のスイッチシステムの動作について説明する。尚、スイッチシステムの施工時に、第１スイッチ装置１ａ，１ｂ，１ｃには第２スイッチ装置２の識別ＩＤが登録され、第２スイッチ装置２には制御対象である複数台の第１スイッチ装置１ａ，１ｂ，１ｃの識別ＩＤが設定されているものとする。
【００４６】
各々の第１スイッチ装置１は、操作領域４１を指でたたく操作（タップ操作或いはダブルタップ操作）に応じて対応する照明器具３の点灯／消灯を切り替え、点灯時にはダブルタップ操作に応じて調光レベルを切り替える。
【００４７】
ここで、例えば外出時に、玄関Ｅ１に設置された第２スイッチ装置２を用いて、各部屋Ｒ１，Ｒ２，Ｒ３の照明器具３を一括して消灯させる操作について、図３のシーケンス図に基づいて説明する。
【００４８】
ユーザが第２スイッチ装置２の操作領域５１をタップ操作すると、第２スイッチ装置２の信号処理部２１は、タッチセンサ２２の検出結果をもとに消灯操作が行われたと判断する。信号処理部２１は、消灯操作が行われたと判断すると、照明器具３を消灯させる制御命令（消灯命令）を無線通信部２３から全ての第１スイッチ装置１へ無線送信（ブロードキャスト送信）させる（図３の処理Ｓ１）。また信号処理部２１は、ドライブ回路２４ａを制御してＬＥＤ２４を点滅させることで、消灯操作を受け付けたことを通知する。尚、通常時は、信号処理部２１は、ドライブ回路２４ａを制御してＬＥＤ２４を例えば緑色で点灯させており、ＬＥＤ２４の発光で位置表示を行う。
【００４９】
第１スイッチ装置１ａ，１ｂ，１ｃの信号処理部１１は、第２スイッチ装置２から無線送信された消灯命令を受信すると、それぞれ対応する照明器具３を消灯させる（図３の処理Ｓ２，Ｓ３，Ｓ４）。
【００５０】
第１スイッチ装置１ａの信号処理部１１は、消灯制御を行った時点から、自機の識別ＩＤに応じて設定される待ち時間ｔ１が経過した時点で、消灯完了を示す返信信号を無線通信部１６から第２スイッチ装置２へ無線送信させる（図３の処理Ｓ５）。
【００５１】
また第１スイッチ装置１ｂの信号処理部１１は、消灯制御を行った時点から、自機の識別ＩＤに応じて設定される待ち時間ｔ２が経過した時点で、消灯完了を示す返信信号を無線通信部１６から第２スイッチ装置２へ無線送信させる（図３の処理Ｓ６）。
【００５２】
また第１スイッチ装置１ｃの信号処理部１１は、消灯制御を行った時点から、自機の識別ＩＤに応じて設定される待ち時間ｔ３が経過した時点で、消灯完了を示す返信信号を無線通信部１６から第２スイッチ装置２へ無線送信させる（図３の処理Ｓ７）。尚、上記の待ち時間ｔ１，ｔ２，ｔ３は、例えば識別ＩＤの１桁目の数字に所定の係数を乗じて求めた時間に設定される。
【００５３】
第２スイッチ装置２の無線通信部２３は消灯命令を無線送信した後、第１スイッチ装置１ａ，１ｂ，１ｃからの返信信号の受信待ちをしており、無線通信部２３は返信信号を受信すると、受信した返信信号を信号処理部２１に出力する。信号処理部２１は、制御対象である全ての第１スイッチ装置１ａ，１ｂ，１ｃから返信信号を受信すると（図３の処理Ｓ８）、ドライブ回路２４ａを駆動してＬＥＤ２４を緑色で点灯させ、全ての照明器具３が消灯したことを通知する（図３の処理Ｓ９）。尚、信号処理部２１は、ドライブ回路２５ａを駆動して、ブザー２５から通知音（例えば「ピ，ピ」など）を鳴動させることによって、全ての照明器具３が消灯したことを通知してもよい。
【００５４】
また、信号処理部２１は、消灯命令を送信してから所定時間（例えば１秒）が経過するまでの間に全ての第１スイッチ装置１から返信信号を受信できなければ、ドライブ回路２５ａを駆動してＬＥＤ２４を高速（消灯操作受け付け時よりも短い周期）で点滅させる。これにより、通信エラーなどで全ての照明器具３が消灯していないことをユーザに通知することができる。
【００５５】
以上説明したように、本実施形態のスイッチシステムは、複数台の第１スイッチ装置１（１ａ，１ｂ，１ｃ）と、第２スイッチ装置２を備える。
【００５６】
複数台の第１スイッチ装置１の各々は、第１操作入力部と、点灯制御部と、無線通信を行う第１無線通信部（無線通信部１６）を備える。第１操作入力部は、タッチセンサ１２及び信号処理部１１からなり、対応する照明器具３の点灯／消灯を切り替える操作を受け付ける。点灯制御部は、信号処理部１１及び位相制御回路１３からなり、第１操作入力部が受け付けた操作及び第１無線通信部が受信した制御命令に応じて対応する照明器具３の点灯／消灯を制御する。
【００５７】
第２スイッチ装置２は、第２操作入力部と、無線通信を行う第２無線通信部（無線通信部２３）と、通知部とを備える。第２操作入力部は、タッチセンサ２２及び信号処理部２１からなり、複数台の第１スイッチ装置１の各々に対応した照明器具３を一括して消灯させるための消灯操作を受け付ける。通知部はＬＥＤ２４からなり、複数台の照明器具３が消灯したことを通知する。
【００５８】
そして、第２操作入力部が消灯操作を受け付けると、無線通信部２３が、照明器具３を消灯させる制御命令（消灯命令）を第１スイッチ装置１へ送信する。第１無線通信部が、第２無線通信部から送信された制御命令（消灯命令）を受信すると、点灯制御部が、対応する照明器具３を消灯させて、消灯完了を示す返信信号を第１無線通信部から第２スイッチ装置２へ返送させる。第２無線通信部が、複数台ある第１スイッチ装置１の全てから返信信号を受信すると、全ての照明器具３が消灯したことを通知部により通知させる。
【００５９】
これにより、第２スイッチ装置２の第２操作入力部が消灯操作を受け付けると、第２無線通信部から消灯命令が無線送信され、この消灯命令を第１無線通信部が受信すると、点灯制御部が対応する照明器具３を消灯させている。したがって、１台の第２スイッチ装置２で消灯操作を行うだけで、複数台の第１スイッチ装置１の各々に対応した複数台の照明器具３を一括して消灯させることができ、照明器具３の台数が多い場合でも複数台の照明器具３を一括して消灯させる操作を容易に行える。しかも、ユーザが第２スイッチ装置２を用いて消灯操作を行った場合、通知部の通知により全ての照明器具３が消灯したことを確認できるので、通信エラーなどによって全ての照明器具３を消灯できなかった場合には、そのことを容易に確認できる。また、消灯操作後に全ての照明器具３が消灯したとの通知を通知部が行わないことから、通信エラーなどで全ての照明器具３が消灯できなかったことを容易に確認することができる。さらに、第１スイッチ装置１と第２スイッチ装置２とは無線通信を行っており、両者の間を有線で配線する必要が無いので、第１スイッチ装置１の増設にも容易に対応できる。
【００６０】
また本実施形態のスイッチシステムに用いられる第１スイッチ装置１は、壁に取り付けられた状態で使用される器体４０を備えた壁取付用スイッチで構成される。同様に、本実施形態のスイッチシステムに用いられる第２スイッチ装置２は、壁に取り付けられた状態で使用される器体５０を備えた壁取付用スイッチで構成される。
【００６１】
このように壁取付用スイッチで第１スイッチ装置１及び第２スイッチ装置２を構成しているので、第１スイッチ装置１及び第２スイッチ装置２を壁に取り付けた状態で使用できる。
【符号の説明】
【００６２】
１（１ａ，１ｂ，１ｃ）  第１スイッチ装置
２  第２スイッチ装置
３  照明器具
１１  信号処理部（点灯制御部、第１操作入力部）
１２  タッチセンサ（第１操作入力部）
１３  位相制御回路（点灯制御部）
１６  無線通信部（第１無線通信部）
２１  信号処理部（第２操作入力部）
２２  タッチセンサ（第２操作入力部）
２３  無線通信部（第２無線通信部）
２４  ＬＥＤ（通知部）
【図１】
2015146321.tif 000003
【図２】
2015146321.tif 000004
【図３】
2015146321.tif 000005